【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
焦点調節レンズを駆動する第１駆動部と、
前記焦点調節レンズをウォブリング駆動させるためのウォブリング駆動信号をカメラボディから受信する送受信部と、
前記ウォブリング駆動信号に基づいて前記第１駆動部を制御することにより前記焦点調節レンズをウォブリング駆動させる制御部とを含み、
前記制御部は、前記焦点調節レンズの光軸方向における移動量と光学系による像の倍率変動との関係を示す所定情報に基づいて、前記焦点調節レンズのウォブリング駆動を禁止するか否かを判断し、前記焦点調節レンズのウォブリング駆動を禁止するときは、前記焦点調節レンズのウォブリング駆動を禁止したことを示す信号を前記カメラボディに送信するように前記送受信部を制御することを特徴とするレンズ鏡筒。
【請求項２】
請求項１に記載のレンズ鏡筒において、
ズームレンズを駆動する第２駆動部を有し、
前記所定情報は、前記ズームレンズの光軸方向における位置ごとに、前記焦点調節レンズの光軸方向における移動量と光学系による像の倍率変動との関係を示す情報であることを特徴とするレンズ鏡筒。
【請求項３】
請求項２に記載のレンズ鏡筒において、
前記制御部は、前記ズームレンズのレンズ位置の情報、および前記焦点調節レンズの光軸方向における位置に対応する前記所定情報に基づいて、前記焦点調節レンズをウォブリング駆動させた場合における像倍率の変動量が、予め定められた所定値以上となるか否かを判断し、前記所定値以上となる場合には、前記焦点調節レンズのウォブリング駆動を禁止することを特徴とするレンズ鏡筒。
【請求項４】
焦点調節レンズを光軸方向に駆動して、光学系の焦点状態を調節する第１駆動部と、
ズームレンズを光軸方向に駆動して、ズーム倍率を変更する第２駆動部と、
前記ズームレンズの光軸方向における位置を検出するズームレンズ位置検出部と、
前記ズームレンズの光軸方向における位置ごとに、前記焦点調節レンズの光軸方向における単位移動量と、前記光学系による像の倍率変動との関係を示す倍率変動率の情報を記憶する記憶部と、
カメラボディから、前記焦点調節レンズを所定の駆動速度でウォブリング駆動させるためのウォブリング駆動信号を受信する送受信部と、
前記ウォブリング駆動信号に基づいて、前記焦点調節レンズをウォブリング駆動させる駆動制御部と、
前記ズームレンズのレンズ位置の情報、および前記焦点調節レンズの光軸方向における位置に対応する前記倍率変動率の情報に基づいて、前記ウォブリング駆動信号に応じて、前記焦点調節レンズをウォブリング駆動させた場合における、ウォブリング駆動時の像倍率の変動量が、予め定められた所定値以上となるか否かを判断し、前記所定値以上となる場合には、前記焦点調節レンズのウォブリング駆動を禁止する制御部と、を備えることを特徴とするレンズ鏡筒。
【請求項５】
請求項４に記載のレンズ鏡筒において、
前記制御部は、前記焦点調節レンズのウォブリング駆動を禁止する場合には、前記送受信部を介して、前記ウォブリング駆動信号に基づくウォブリング駆動を行なわない旨の信号を前記カメラボディに送信を送信することを特徴とするレンズ鏡筒。
【請求項６】
請求項４に記載のレンズ鏡筒において、
前記制御部は、前記ウォブリング駆動信号に応じて、前記焦点調節レンズをウォブリング駆動させた場合における、ウォブリング駆動時の像倍率の変動量が、前記所定値以上となる場合には、前記焦点調節レンズのウォブリング駆動を禁止せずに、ウォブリング駆動時の像倍率の変動量が、前記所定値未満となるような駆動速度で、前記駆動制御部に前記焦点調節レンズのウォブリング駆動を行わせることを特徴とするレンズ鏡筒。
【請求項７】
請求項４に記載のレンズ鏡筒において、
前記制御部は、前記ウォブリング駆動信号に応じて、前記焦点調節レンズをウォブリング駆動させた場合における、ウォブリング駆動時の像倍率の変動量が、前記所定値以上となる場合には、前記焦点調節レンズのウォブリング駆動を禁止せずに、ウォブリング駆動時における前記焦点調節レンズの往復動作の回数を少なくして、前記駆動制御部に前記焦点調節レンズのウォブリング駆動を行わせることを特徴とするレンズ鏡筒。
【請求項８】
請求項１〜７のいずれかに記載のレンズ鏡筒と、カメラボディと、を備えることを特徴とするカメラシステム。
【手続補正２】
【補正対象書類名】明細書
【補正対象項目名】０００７
【補正方法】変更
【補正の内容】
【０００７】
[１]本発明の第１の観点に係るレンズ鏡筒は、焦点調節レンズを駆動する第１駆動部と、前記焦点調節レンズをウォブリング駆動させるためのウォブリング駆動信号をカメラボディから受信する送受信部と、前記ウォブリング駆動信号に基づいて前記第１駆動部を制御することにより前記焦点調節レンズをウォブリング駆動させる制御部とを含み、前記制御部は、前記焦点調節レンズの光軸方向における移動量と光学系による像の倍率変動との関係を示す所定情報に基づいて、前記焦点調節レンズのウォブリング駆動を禁止するか否かを判断し、前記焦点調節レンズのウォブリング駆動を禁止するときは、前記焦点調節レンズのウォブリング駆動を禁止したことを示す信号を前記カメラボディに送信するように前記送受信部を制御することを特徴とする。
[２]本発明の第１の観点に係るレンズ鏡筒において、ズームレンズを駆動する第２駆動部を有し、前記所定情報が、前記ズームレンズの光軸方向における位置ごとに、前記焦点調節レンズの光軸方向における移動量と光学系による像の倍率変動との関係を示す情報であるように構成することができる。
[３]本発明の第１の観点に係るレンズ鏡筒において、前記制御部は、前記ズームレンズのレンズ位置の情報、および前記焦点調節レンズの光軸方向における位置に対応する前記所定情報に基づいて、前記焦点調節レンズをウォブリング駆動させた場合における像倍率の変動量が、予め定められた所定値以上となるか否かを判断し、前記所定値以上となる場合には、前記焦点調節レンズのウォブリング駆動を禁止するように構成することができる。
[４]本発明の第２の観点に係るレンズ鏡筒は、焦点調節レンズ（３３）を光軸方向に駆動して、光学系の焦点状態を調節する第１駆動部（３３１）と、ズームレンズ（３２）を光軸方向に駆動して、ズーム倍率を変更する第２駆動部（３２１）と、前記ズームレンズの光軸方向における位置を検出するズームレンズ位置検出部（３２２）と、前記ズームレンズの光軸方向における位置ごとに、前記焦点調節レンズの光軸方向における単位移動量と、前記光学系による像の倍率変動との関係を示す倍率変動率の情報を記憶する記憶部（３７）と、カメラボディから、前記焦点調節レンズを所定の駆動速度でウォブリング駆動させるためのウォブリング駆動信号を受信する送受信部（３６）と、前記ウォブリング駆動信号に基づいて、前記焦点調節レンズをウォブリング駆動させる駆動制御部（３６）と、前記ズームレンズのレンズ位置の情報、および前記焦点調節レンズの光軸方向における位置に対応する前記倍率変動率の情報に基づいて、前記ウォブリング駆動信号に応じて、前記焦点調節レンズをウォブリング駆動させた場合における、ウォブリング駆動時の像倍率の変動量が、予め定められた所定値以上となるか否かを判断し、前記所定値以上となる場合には、前記焦点調節レンズのウォブリング駆動を禁止する制御部（３６）と、を備えることを特徴とする。
【手続補正３】
【補正対象書類名】明細書
【補正対象項目名】０００８
【補正方法】変更
【補正の内容】
【０００８】
[５]本発明の第２の観点に係るレンズ鏡筒において、前記制御部（３６）が、前記焦点調節レンズ（３３）のウォブリング駆動を禁止する場合には、前記送受信部（３６）を介して、前記ウォブリング駆動信号に基づくウォブリング駆動を行なわない旨の信号を前記カメラボディに送信を送信するように構成することができる。
【手続補正４】
【補正対象書類名】明細書
【補正対象項目名】０００９
【補正方法】変更
【補正の内容】
【０００９】
[６]本発明の第２の観点に係るレンズ鏡筒において、前記制御部（３６）が、前記ウォブリング駆動信号に応じて、前記焦点調節レンズ（３３）をウォブリング駆動させた場合における、ウォブリング駆動時の像倍率の変動量が、前記所定値以上となる場合には、前記焦点調節レンズのウォブリング駆動を禁止せずに、ウォブリング駆動時の像倍率の変動量が、前記所定値未満となるような駆動速度で、前記駆動制御部に前記焦点調節レンズのウォブリング駆動を行わせるように構成することができる。
【手続補正５】
【補正対象書類名】明細書
【補正対象項目名】００１０
【補正方法】変更
【補正の内容】
【００１０】
[７]本発明の第２の観点に係るレンズ鏡筒において、前記制御部（３６）が、前記ウォブリング駆動信号に応じて、前記焦点調節レンズ（３３）をウォブリング駆動させた場合における、ウォブリング駆動時の像倍率の変動量が、前記所定値以上となる場合には、前記焦点調節レンズのウォブリング駆動を禁止せずに、ウォブリング駆動時における前記焦点調節レンズの往復動作の回数を少なくして、前記駆動制御部に前記焦点調節レンズのウォブリング駆動を行わせるように構成することができる。
【手続補正６】
【補正対象書類名】明細書
【補正対象項目名】００１１
【補正方法】変更
【補正の内容】
【００１１】
[８]本発明のカメラシステムは、上記レンズ鏡筒と、カメラボディと、を備えることを特徴とする。